(57)【要約】      （修正有）【課題】高いセキュリティのデジタル変復調方法を提供する。【解決手段】変復調ユニット１０は、プレアンブルのパターンに対応した追加変調量を選定し追加変調情報として出力するシフト値設定部、追加変調情報に従ったプレアンブルの生成部、そのプレアンブルを用いた送信データ生成部、その送信データに対して所定の位相調整を行う位相変位変調部、追加変調情報に従う追加変調量をテーブルから求め、送信データの位相を追加変調する位相付加部を備える送信装置及び追加復調情報が入力され、当該追加復調情報に基づき受信信号の位相を追加復調する位相回転部、その信号に所定の位相調整を行う位相変位復調部、更にその信号からプレアンブルのパターンを検出すると共にユニークワードを検出するＵＷ検出部、プレアンブル検出信号を追加変調テーブルに適用し、シフト値設定部が設定した追加変調量を求め、位相回転部に出力するシフト値判定部備える。【選択図】図１
2017092668.tif 000002
【特許請求の範囲】
【請求項１】
所定のプレアンブル、ユニークワード及び、データを１つのフレームとする送信データを生成し、該送信データに対して所定の位相変調を行って出力する送信装置と、前記送信装置からの信号を受信して、受信データに対して所定の位相調整を行うことにより当該受信データを復調する受信装置とを備えるデジタル変復調システムであって、
前記送信装置は、
前記プレアンブルのパターンに対応した追加変調量を選定して、これを追加変調情報として出力するシフト値設定部と、
前記追加変調情報に従った前記プレアンブルを生成するプレアンブル生成部と、
前記プレアンブル生成部からの前記プレアンブルを用いて前記送信データを生成する送信データ生成部と、
前記送信データ生成部により生成された前記送信データに対して所定の位相調整を行う位相変位変調部と、
前記追加変調情報に従う追加変調量を、予め記憶している追加変調量テーブルから求めて、前記位相変位変調部からの前記送信データの位相を追加変調する位相付加部と、を備え、
前記受信装置は、
追加復調情報が入力して、当該追加復調情報に基づき受信信号の位相を追加復調する位相回転部と、
前記位相回転部からの信号に対して所定の位相調整を行う位相変位復調部と、
前記位相変位復調部からの信号から、前記プレアンブルのパターンを検出してプレアンブル検出信号として出力すると共に、前記ユニークワードを検出するＵＷ検出部と、
前記プレアンブル検出信号を予め記憶している追加変調テーブルに適用して、前記シフト値設定部が設定した前記追加変調量を求めて、これを追加復調情報として前記位相回転部に出力するシフト値判定部と、を備える、
ことを特徴とするデジタル変復調システム。
【請求項２】
請求項１に記載のデジタル変復調システムであって、
前記位相変位変調部及び前記位相変位復調部は、４相位相偏移変復調を行う、
ことを特徴とするデジタル変復調システム。
【請求項３】
請求項１又は２に記載のデジタル変復調システムであって、
前記位相付加部は、前記フレーム毎に前記追加変調を行い、
前記位相回転部は前記フレーム毎に前記追加復調を行う、
ことを特徴とするデジタル変復調システム。
【請求項４】
所定のプレアンブル、ユニークワード及び、データを１つのフレームとする送信データを生成し、該送信データに対して所定の位相変調を行って出力する送信装置と、前記送信装置からの信号を受信して、受信データに対して所定の位相調整を行うことにより当該受信データを復調する受信装置とを備えるデジタル変復調方法であって、
前記送信装置は、
前記プレアンブルのパターンに対応した追加変調量を選定して、これを追加変調情報として出力し、
前記追加変調情報に従った前記プレアンブルを生成し、
前記プレアンブルを用いて前記送信データを生成し、
前記送信データに対して所定の位相調整を行い、
前記追加変調情報に従う追加変調量を、予め記憶している追加変調量テーブルから求めて、前記送信データの位相を追加変調し、
前記受信装置は、
追加復調情報が入力して、当該追加復調情報に基づき受信信号の位相を追加復調し、
前記追加復調された信号に対して所定の位相調整を行い、
所定の位相調整された信号から、前記プレアンブルのパターンを検出してプレアンブル検出信号として出力すると共に、前記ユニークワードを検出し、
前記プレアンブル検出信号を予め記憶している追加変調テーブルに適用して前記追加変調量を求めて、これを追加復調情報として出力する
ことを特徴とするデジタル変復調方法。
【請求項５】
請求項４に記載のデジタル変復調方法であって、
前記送信データに対して所定の位相調整を行う処理、及び、前記追加復調された信号に対して所定の位相調整を行う処理は、４相位相偏移変復調に従うことを特徴とする。
ことを特徴とするデジタル変復調方法。
【請求項６】
請求項４又は５に記載のデジタル変復調方法であって、
前記追加変調を行う際には、前記フレーム毎に行い、
前記追加復調を行う際には、前記フレーム毎に行う、
ことを特徴とするデジタル変復調方法。
【発明の詳細な説明】
【技術分野】
【０００１】
本発明は、デジタル変復調システム及びデジタル変復調方法に関する。
【背景技術】
【０００２】
デジタル通信技において用いられているデジタル変調方式には、位相偏移変調（Ｐｈａｓｅ  Ｓｈｉｆｔ  Ｋｅｙｉｎｇ）方式がある。この位相偏移変調方式は、搬送波（基準信号）の位相又は位相変化量によってデータを変調する方式である。そして、この位相偏移変調には、９０度の整数倍の４相を用いる４相位相偏移変調（ＱＰＳＫ：Ｑｕａｄｒａｔｕｒｅ  Ｐｈａｓｅ  Ｓｈｉｆｔ  Ｋｅｙｉｎｇ）と呼称される技術がある。
【０００３】
図６は、ＱＰＳＫの信号空間ダイアグラム（位相平面）でのデータ点配置を示した図である。位相平面は、原点で直交する実軸及び虚軸で表せる。なお、実軸は同相軸（Ｉ軸）、虚軸は直交軸（Ｑ軸）と呼称する場合もある。
【０００４】
そして、データ点は、９０度単位で位相が変化する。そこで、図６に示すように、４５度、１３５度、２２５度、３１５度の位相を持つ各信号点ａ０，ａ１，ａ２，ａ３に対して、（００），（１０），（１１），（０１）の２ビットを割り当てることができる。即ち、ＱＰＳＫでは、一度に２ビット分の情報を送ることが可能になる。
【０００５】
ここで、ｎを０〜３の整数とすると、信号点ａｎは、
ａｎ＝（π／４）＋９０°×ｂｎ
ｂｎ＝（０，１，２，３）
の式で与えられる。
【０００６】
割り当てられた１つの状態のことを「シンボル」と呼ぶ。ＱＰＳＫの場合は、１シンボル２ビットとなる。即ち、ＱＰＳＫは、１シンボルで２ビットの情報が表現できる。なお、シンボルは、送信シンボルや変調データとも呼ばれる。
【０００７】
図７は、送信データのフレームを示した図である。このフレームは、「プレアンブル」、「ユニークワード（ＵＷ）」、「データ」のフィールドから構成されている。そして、例えばバースト通信においては、送信データは、送信装置（デジタル変調装置）からフレーム単位で伝送され、受信装置（デジタル復調装置）で受信データとして受信される。
【０００８】
ここで、「プリアンブル」は、受信データのシンボルの中心を検出するために、送信装置においてフレームの先頭に付加されるフィールドである。また、「ＵＷ」は、受信装置が受信すべきデータがフレーム中のどの位置から始まるかを検出するために、送信装置において付加されるフィールドである。
【０００９】
受信データのシンボルの中心位置でデータ確定できるように、取り込み位相確定する処理を「シンボル同期」と呼ぶ。また、フレーム中のどの位置からが受信すべきデータなのかを検出する処理を「フレーム同期」と呼ぶ。
【００１０】
このような通信技術として種々の先行技術が知られている。例えば、特開平０６−０８５８６２号公報には、１６ＱＡＭ変調器と１６ＱＡＭ復調器とを備えた１６ＱＡＭ変復調方式が開示されている。そして、１６ＱＡＭ変復調方式において、１６ＱＡＭ変調器は、１６ＱＡＭ信号点マッピング回路と、直交変調器とを備える。一方、１６ＱＡＭ復調器は、直交復調器と、復号器と、並列／直列変換器と、キャリア再生回路と、ローカル発振器と、クロック再生回路とを含んでいる。
【００１１】
また、特開２０００−２３６３６３号公報においては、デジタル放送受信機等に使用して好適なフレーム同期信号検出装置及びそれを用いたキャリア再生装置を開示している。このキャリア再生装置は、フレーム同期信号の位置を検出する機能を有するＵＷ検出器を含んでいる。
【００１２】
また、特開２００１−２５７７３３号公報は、キャリア再生を高精度に行うことができるキャリア再生装置を開示している。このキャリア再生装置は、２つのロールオフフィルタ回路と、シンボル再生回路と、ＵＷ検出回路と、Ｃ／Ｎ検出回路と含む。そして、シンボル再生回路は、２つのロールオフフィルタ回路から入力したキャリア再生されたＩ信号及びＱ信号のシンボルタイミングを検出する。また、ＵＷ検出回路は、Ｉ信号及びＱ信号に基づいて、ＵＷの検出を行う。Ｃ／Ｎ検出回路は、キャリア再生されたＩ信号及びＱ信号のＣ／Ｎ特性の検出を行う。
【００１３】
さらに、特開２００２−２７１４３２号公報においては、比較的容易な構成で、安定に動作する８相ＰＳＫ搬送波位相検出装置が開示されている。この位相検出装置は、４相位相比較器と、仮位相値変換回路と、位相領域判別回路と、選択回路とを有する。４相位相比較器は、受信信号の同相信号及び直交信号から４相変調方式用の基準搬送波を仮位相値として出力する。仮位相値変換回路は、送受信に用いられた８相変調方式における理想信号点の絶対値を仮位相値に加算し、かつ、仮位相値から絶対値を減算する。また、仮位相値変換回路は、位相平面における反時計回り方向を正方向と設定して仮位相値から極性を判別する。そして、仮位相値変換回路は、極性が正の場合には加算した値を変換位相値として出力し、極性が負の場合には減算した値を変換位相値として出力する。位相領域判別回路は、４相位相比較器に入力する同相信号及び直交信号、又は、４相位相比較器から出力される仮位相値に基づいて、位相平面上における受信信号点の存在領域を判別し、存在領域を示す領域信号を出力する。選択回路は、領域信号に基づいて仮位相値と変換位相値とを切り替えて出力する。
【先行技術文献】
【特許文献】
【００１４】
【特許文献１】特開平０６−０８５８６２号公報
【特許文献２】特開２０００−２３６３６３号公報
【特許文献３】特開２００１−２５７７３３号公報
【特許文献４】特開２００２−２７１４３２号公報
【発明の概要】
【発明が解決しようとする課題】
【００１５】
しかしながら、上述したデジタル変復調方式では、通信に利用する変調方式（ＱＰＳＫ、８ＰＳＫ（８−Ｐｈａｓｅ  Ｓｈｉｆｔ  Ｋｅｙｉｎｇ）等）、及び、ＵＷが既知の場合、第３者（本来の受信装置以外の受信装置）が復調処理を行うことにより、データを入手することができるため、セキュリティ上の問題があった。
【００１６】
即ち、変調方式がＱＰＳＫであることが知られ、かつ、データレートがわかっている場合、予想位相点が９０度単位でずれた４点であるので、復調処理が可能となる。そして、ＵＷが既知の場合には、誰でもデータが入手できる不都合が生じる。
【００１７】
データレートはスペクトラム波形より類推可能である。また、変調方式については、一般的な方式が限られているため、電波の受信可能なエリアにおいて、復調処理が容易に行える。
【００１８】
また、これまでのデータに対する暗号化においては、悪意を持って入手したデータに対し、試行錯誤を繰り返すことで解読されるリスクも否定できない。
【００１９】
このように、上述した各文献に基づく構成では、セキュリティ上の問題があった。
【００２０】
そこで、本発明の主目的は、セキュリティの高い通信が行えるデジタル変復調システム及びデジタル変復調方法を提供することである。
【課題を解決するための手段】
【００２１】
上記課題を解決するため、所定のプレアンブル、ユニークワード及び、データを１つのフレームとする送信データを生成し、該送信データに対して所定の位相変調を行って出力する送信装置と、送信装置からの信号を受信して、受信データに対して所定の位相調整を行うことにより当該受信データを復調する受信装置とを備えるデジタル変復調システムにかかる発明は、プレアンブルのパターンに対応した追加変調量を選定して、これを追加変調情報として出力するシフト値設定部と、追加変調情報に従ったプレアンブルを生成するプレアンブル生成部と、プレアンブル生成部からのプレアンブルを用いて送信データを生成する送信データ生成部と、送信データ生成部により生成された送信データに対して所定の位相調整を行う位相変位変調部と、追加変調情報に従う追加変調量を、予め記憶している追加変調量テーブルから求めて、位相変位変調部からの送信データの位相を追加変調する位相付加部と、を備える送信装置、及び、追加復調情報が入力して、当該追加復調情報に基づき受信信号の位相を追加復調する位相回転部と、位相回転部からの信号に対して所定の位相調整を行う位相変位復調部と、位相変位復調部からの信号から、プレアンブルのパターンを検出してプレアンブル検出信号として出力すると共に、ユニークワードを検出するＵＷ検出部と、プレアンブル検出信号を予め記憶している追加変調テーブルに適用して、シフト値設定部が設定した追加変調量を求めて、これを追加復調情報として位相回転部に出力するシフト値判定部と、を備える受信装置を有する。
【００２２】
また、所定のプレアンブル、ユニークワード及び、データを１つのフレームとする送信データを生成し、該送信データに対して所定の位相変調を行って出力する送信装置と、送信装置からの信号を受信して、受信データに対して所定の位相調整を行うことにより当該受信データを復調する受信装置とを備えるデジタル変復調方法にかかる発明は、プレアンブルのパターンに対応した追加変調量を選定して、これを追加変調情報として出力し、追加変調情報に従ったプレアンブルを生成し、プレアンブルを用いて送信データを生成し、送信データに対して所定の位相調整を行い、追加変調情報に従う追加変調量を、予め記憶している追加変調量テーブルから求めて、送信データの位相を追加変調し、追加復調情報が入力して、当該追加復調情報に基づき受信信号の位相を追加復調し、追加復調された信号に対して所定の位相調整を行い、所定の位相調整された信号から、プレアンブルのパターンを検出してプレアンブル検出信号として出力すると共に、ユニークワードを検出し、プレアンブル検出信号を予め記憶している追加変調テーブルに適用して追加変調量を求めて、これを追加復調情報として出力する。
【発明の効果】
【００２３】
本発明によれば、送信データの変調情報を追加して信号の復調情報を送信装置と受信装置と出供給できるようにしたので、セキュリティの高い通信が行えるようになる。
【図面の簡単な説明】
【００２４】
【図１】実施形態に係るデジタル変復調システムの構成図である。
【図２】送信時の動作を示すフローチャートである。
【図３】受信時の動作を示すフローチャートである。
【図４】６種類のデータフレームを例示した図である。
【図５】位相付加部における追加変調処理を説明する図である。
【図６】ＱＰＳＫの信号空間ダイアグラムでのデータ点配置を示した図である。
【図７】送信データのフレームを示した図である。
【発明を実施するための形態】
【００２５】
本発明の実施形態を説明する。図１は、本発明の実施形態に係るデジタル変復調システム２の構成図である。なお、デジタル変復調システム２では、４相位相偏移変調（ＱＰＳＫ）を例に説明するが、この方式に限定するものではない。
【００２６】
当該デジタル変復調システム２は、変復調ユニット１０、Ｄ／Ａ変換部１１、Ａ／Ｄ変換部１２を主要構成とする。
【００２７】
Ｄ／Ａ変換部１１は、デジタル信号をアナログ信号に変換して送信する機能を備えている。
【００２８】
Ａ／Ｄ変換部１２は、受信機能を備えて、アナログの受信信号をデジタル信号に変換して出力する。
【００２９】
変復調ユニット１０は、変調ユニット２０、復調ユニット３０を含んでいる。
【００３０】
変調ユニット２０は、プレアンブル生成部２１、送信データ生成部２２、位相変位変調部２３、位相付加部２４、ルートナイキストフィルタ部２５、シフト値選定部２６を含んでいる。
【００３１】
復調ユニット３０は、ルートナイキストフィルタ部３１、クロック再生部３２、位相回転部３３、位相変位復調部３４、ＵＷ検出部３５、受信データ処理部３６、シフト値判定部３７を含んでいる。
【００３２】
これにより、変調ユニット２０とＤ／Ａ変換部１１とが、送信装置（デジタル変調装置）を構成し、Ａ／Ｄ変換部１２と復調ユニット３０とが、受信装置（デジタル復調装置）を構成している。
【００３３】
以下、各要素の動作を図２、図３に示すフローチャートに従い説明する。なお、図２は送信時の動作を示すフローチャート、図３は受信時の動作を示すフローチャートである。
【００３４】
＜送信モード＞
ステップＳＡ１：  本発明にかかるデジタル変復調システム２では、送信時においてデータフレーム毎に位相を変える。そして、当該デジタル変復調システム２に含まれる受信装置では復調できるが、第３者には復調できないようにする。このため、デジタル変復調システム２を構成する送信装置と受信装置とで、変えた位相に関する情報共有を行う。
【００３５】
即ち、シフト値選定部２６は、データフレーム毎に変える位相量（シフト値）に関する情報を追加変調情報Ｇ１としてプレアンブル生成部２１及び位相付加部２４に出力する。なお、データフレームは複数存在するため、シフト値も複数となる。そこで、これらのシフト値をシフト値セットと記載する。
【００３６】
ところで、変調方式をＱＰＳＫとした場合、データフレームの先頭に付加されるプリアンブルはシンボル同期をとるためにシンボルの変化の繰り返しとなる。そして、ＱＰＳＫでは、"００"⇔"１０"、"１０"⇔"１１"、"１１"⇔"０１"、"０１"⇔"００"、"００"⇔"１１"、"０１"⇔"１０"の６種類のシンボルの繰り返しのパターンが使用できる（例えば、図４を参照）。なお、図４は、６種類のデータフレームを例示した図である。
【００３７】
そこで、シフト値選定部２６は、シフト値セットを選定する際には、プリアンブルのパターンを、例えばランダムに指定する。この結果、シフト値セットは、上述した６種類のパターンのいずれかが選定される。そして、選定したプレアンブルのパターンを示す情報を追加変調情報Ｇ１として出力する。
【００３８】
ステップＳＡ２：  プレアンブル生成部２１は、シフト値選定部２６からの追加変調情報Ｇ１に従い、プレアンブルを生成する。
【００３９】
ステップＳＡ３：  送信データ生成部２２は、送信データを生成し、これを２ビットずつに分離し、プリアンブルと、予め設定されているデータビット列のＵＷとを用いてデータフレームを組み立てる（図４参照）。
【００４０】
ステップＳＡ４：  位相変位変調部２３は、データフレームを４つの位相に割り当て、図６に示すような送信シンボル（変調データ）を生成して出力する。
【００４１】
ステップＳＡ５：  位相付加部２４は、位相変位変調部２３からの変調データ（送信シンボル）に対してシフト値選定部２６からの追加変調情報Ｇ１に従い位相を更にシフトさせる。そして、これを修正変調データとしてルートナイキストフィルタ部２５に出力する。以下、位相付加部２４における位相調整を追加変調と記載し、その処理を追加変調処理と記載する。
【００４２】
このとき、位相付加部２４と後述する位相回転部３３とには、追加変調量テーブルが記憶されている。そこで、位相付加部２４は、追加変調情報Ｇ１を受信すると、追加変調量テーブルから該当する追加変調量を求める。そして、求めた追加変調量だけ変調データの位相をシフトさせる。
【００４３】
図５は、位相付加部２４における追加変調処理を説明する図である。位相変位変調部２３から位相付加部２４にａ１〜ａ４の信号が入力したとする。一方、追加変調情報Ｇ１から、追加変調量がＣ０，Ｃ１，Ｃ２，Ｃ３が求まったとする。
【００４４】
このようなとき、位相付加部２４は、信号点ａ０の位相をＣ０ずらしてａ'０の信号とし、信号点ａ１の位相をＣ１ずらしてａ'１の信号とし、信号点ａ２の位相をＣ２ずらしてａ'２の信号とし、信号点ａ３の位相をＣ３ずらしてａ'３の信号とする追加変調処理を行う。
【００４５】
これにより、ＱＰＳＫ変調方式（４状態）ではなくなる。従って、追加変調量を知らない第３者は、復調を行うことができない。
【００４６】
ステップＳＡ６：  ルートナイキストフィルタ部２５は、送信シンボル（変調データ）に対して送信帯域制限のためにフィルタ処理を行い、Ｄ／Ａ変換部１１に出力する。
【００４７】
ステップＳＡ７：  Ｄ／Ａ変換部１１は、正弦搬送波の位相を帯域制限された送信シンボル（変調データ）に応じて変化させて送信する送信部として機能する。
【００４８】
以上により、送信処理が終了する。次に、受信処理を説明する。
【００４９】
＜受信モード＞
ステップＳＢ１：  図３に示すように、Ｄ／Ａ変換部１１から送信された信号は、受信部として機能するＡ／Ｄ変換部１２で受信されて、当該Ａ／Ｄ変換部１２によりベースバンド信号が取得される。
【００５０】
ステップＳＢ２：  ルートナイキストフィルタ部３１は、Ａ／Ｄ変換部１２からの受信信号に含まれる雑音を抑圧して除去すると共に、シンボル間干渉が生じないようにフィルタ処理を行う。
【００５１】
ステップＳＢ３：  クロック再生部３２は、フィルタ処理した受信信号のシンボル同期をとり、修正変調データを再生し、再生修正変調データを出力する。
【００５２】
ステップＳＢ４：  位相回転部３３は、後述するシフト値判定部３７からの追加復調情報Ｇ３に従って、クロック再生部３２からのシンボルデータ（再生修正変調データ）を回転させる位相調整を行い、これを回転変調データとして出力する（追加復調処理）。
【００５３】
即ち、位相回転部３３は、シフト値判定部３７からシフト値セットを示す追加復調情報Ｇ３を受け取り、この追加復調情報Ｇ３に従いシンボルデータの位相を逆調整（送信時における追加変調処理と逆の変調処理）を行う。
【００５４】
ステップＳＢ５：  位相変位復調部３４は、シンボル同期をとった信号を、予想位相との位相差が０になるように回転位相補正して、上記送信シンボル（変調データ）を再生し、再生変調データ（受信シンボル）を出力する（復調処理）。このとき、キャリア位相の補正も行われる。これによりデータ受信中も位相変位復調部３４でのキャリア同期が継続可能となる。
【００５５】
ステップＳＢ６：  ＵＷ検出部３５は、再生変調データ（受信シンボル）からプリアンブル及びＵＷの検出を行う。そして、フレーム同期に成功した場合（フレーム中に含まれるＵＷが決められた値と一致した場合）には、次の受信シンボルから受信すべきデータが始まると判断する。検出したプレアンブルを特定する情報をプレアンブル検出信号Ｇ２としてシフト値判定部３７に出力する。
【００５６】
ステップＳＢ７：  シフト値判定部３７は、検出されたＵＷ、及び、その直前のプリアンブルのパターンと、予め記憶している追加変調量テーブルからシフト値セットを判定する。判断結果は、追加復調情報Ｇ３として位相回転部３３に出力される（追加復調情報生成処理）。
【００５７】
なお、ＱＰＳＫでは、位相によりビットが反転して転送されることも考えられる。このため、データフレームの同期をとるためのＵＷとの組み合わせによりプリアンブルの６種類のシンボルの繰り返しを判定する。
【００５８】
この時、ＵＷはビットの反転が判断できるパターンを選定する。また、ビット誤りが発生した場合も考慮し、プリアンブルの繰り返しを５回分監視し、５回中３回以上の同じ繰り返しの検出により、繰り返しパターンを判断する。
【００５９】
先に述べたように、位相回転部３３には追加復調情報Ｇ３が入力している。そして、位相回転部３３は、追加復調情報Ｇ３に従って、クロック再生部３２からのシンボルデータの位相調整を行う。この追加復調情報Ｇ３は、データフレーム毎に異なる値であり、かつ、送信時に決定して、送信装置と受信装置では予め記憶した追加変調量テーブルに従うので、かかる追加変調量テーブルを知らない第３者には復調することができない。依って、セキュリティを保つことが可能になる。
【００６０】
ステップＳＢ８：  受信データ処理部３６は、検出信号に基づいて、検出信号を検出した時点の受信シンボルから上記送信データを再生するようにデータ受信を行い、再生送信データを受信データとして出力する。
【００６１】
以上説明したように、送信装置と受信装置とが、追加復調情報を共有することにより、第３者による復調を行えなくするので、強度なセキュリティを確保した無線通信が実現できる。
【００６２】
また、プリアンブルパターンとＵＷとのタイミングの組み合わせにより、さらに多くのシフト値を表現することができ、より強度なセキュリティを確保した無線通信が実現できるようになる。
【００６３】
以上、実施形態（及び実施例）を参照して本願発明を説明したが、本願発明は上記実施形態（及び実施例）に限定されものではない。
【符号の説明】
【００６４】
２    デジタル変復調システム
２０    変調ユニット
２１    プレアンブル生成部
２２    送信データ生成部
２３    位相変位変調部
２４    位相付加部
２５    ルートナイキストフィルタ部
２６    シフト値選定部
３０    復調ユニット
３１    ルートナイキストフィルタ部
３２    クロック再生部
３３    位相回転部
３４    位相変位復調部
３６    受信データ処理部
３７    シフト値判定部
【図１】
2017092668.tif 000003
【図２】
2017092668.tif 000004
【図３】
2017092668.tif 000005
【図４】
2017092668.tif 000006
【図５】
2017092668.tif 000007
【図６】
2017092668.tif 000008
【図７】
2017092668.tif 000009